(57)【特許請求の範囲】
【請求項１】
記録媒体から再生回数が制限された情報を読み取る情報読取手段と、前記情報読取手段が読み取った前記情報を再生する情報再生手段と、前記情報の再生回数を計数して前記情報読取手段と前記情報再生手段との前記情報の読み取りまたは再生を制御し、前記情報の読み取りまたは再生が不能であると前記読み取り再生を強制的に終了させる制御手段と、を備えた記録媒体再生装置において、
前記制御手段が前記情報の読み取りおよび再生を強制的に終了させたときに、読み取りが強制終了された前記記録媒体上の位置を記憶する記憶手段をさらに備え、
前記強制終了後に情報の読み取りおよび再生を再開する際には、前記制御手段が前記記憶手段に記憶された前記強制終了された記記録媒体上の位置に記録されている情報を前記情報読取手段に読み取らせ、前記再生回数を計数せずに前記情報再生手段に再生させるように制御することを特徴とする記録媒体再生装置。
【請求項２】
前記制御手段は、前記記録媒体の再生中に傷が発見された場合には、所定時間先の位置に記憶されている情報を前記情報読み取り手段に読み取らせる処理を所定回数繰り返し、所定回数繰り返した場合は、前記情報の読み取りおよび再生を強制的に終了させ、前記強制的に終了させた後に前記情報の読み取りおよび再生を再開する際には、最後に傷が発見された位置から所定時間先の位置に記憶されている情報から再生させることを特徴とする請求項１に記載の記録媒体再生装置。
【請求項３】
前記制御手段が、前記強制終了後、前記情報読取手段に情報の読み取りおよび前記情報再生手段に情報の再生を再開させた際に、前記情報の読み取りまたは前記情報の再生が行えなかったときは、さらに前記所定時間先の位置に記録されている情報を前記情報読取手段に読み取らせ、前記再生手段に再生させることを特徴とする請求項１または２に記載の記録媒体再生装置。
【請求項４】
記録媒体から再生回数が制限された情報を読み取り、読み取った前記情報の再生回数を計数して再生する記録媒体再生方法において、
前記情報の読み取り中または再生中に前記情報の読み取りまたは再生が不能で前記情報の読み取りおよび再生を強制的に終了したときに、読み取りが強制終了された前記記録媒体上の位置を記憶し、
前記強制終了後に情報の読み取りおよび再生を再開する際には、前記記憶した前記強制終了された記記録媒体上の位置に記録されている情報を読み取り、再生回数を計数せずに再生するようにすることを特徴とする記録媒体再生方法。
【発明の詳細な説明】
【技術分野】
【０００１】
本発明は、光ディスクなどの記録媒体を再生する記録媒体再生装置および再生方法に関する。
【背景技術】
【０００２】
従来、光ディスクなどの記録媒体に記録されている音楽や映像などの情報を読み出して再生しているときに光ディスクの傷などによって情報の読み出しが行えない場合は、数回のリトライを行った後、特許文献１に記載されているように読み出しが行えなくなった位置から一定量飛び越した位置から再生を継続するようにしていた。
【特許文献１】特開平７−９８８７１号公報
【発明の開示】
【発明が解決しようとする課題】
【０００３】
特許文献１に記載のような再生装置では、傷などが大きく１度で飛び越せない場合は飛び越す回数を複数回行うようにして大きな傷などを飛び越すようにしていたが、飛び越している間は音や映像などの情報は再生されないため、飛び越す回数に上限が必要となり、上限に到達しても傷の領域から抜け出せない場合は、該光ディスクは読み出し不可として読み出し再生動作を強制的に終了させていた。そして、再生を再開する場合はまた先頭から再生を開始していた。【０００４】
さらに、記録媒体に記録されている情報が再生回数制限されている情報である場合は、上述したように傷などで強制終了後の再開が先頭から再生されると新たな再生として再生回数が減ってしまい、ユーザに不利益を与えていた。【０００５】
そこで、本発明は、例えば記録媒体の傷などによって読み出し再生が強制終了されても、再開した時には特殊再生を行わなくても傷などの先を再生でき、再生回数が制限されていた場合でも再生回数が減らない記憶媒体再生装置および再生方法を提供することを課題とする。
【課題を解決するための手段】
【０００６】
上記課題を解決するために、請求項１記載の発明は、記録媒体から再生回数が制限された情報を読み取る情報読取手段と、前記情報読取手段が読み取った前記情報を再生する情報再生手段と、前記情報の再生回数を計数して前記情報読取手段と前記情報再生手段との前記情報の読み取りまたは再生を制御し、前記情報の読み取りまたは再生が不能であると前記読み取り再生を強制的に終了させる制御手段と、を備えた記録媒体再生装置において、前記制御手段が前記情報の読み取りおよび再生を強制的に終了させたときに、読み取りが強制終了された前記記録媒体上の位置を記憶する記憶手段をさらに備え、前記強制終了後に情報の読み取りおよび再生を再開する際には、前記制御手段が前記記憶手段に記憶された前記強制終了された記記録媒体上の位置に記録されている情報を前記情報読取手段に読み取らせ、前記再生回数を計数せずに前記情報再生手段に再生させるように制御することを特徴としている。
【０００７】
請求項３記載の発明は、記録媒体から再生回数が制限された情報を読み取り、読み取った前記情報の再生回数を計数して再生する記録媒体再生方法において、前記情報の読み取り中または再生中に前記情報の読み取りまたは再生が不能で前記情報の読み取りおよび再生を強制的に終了したときに、読み取りが強制終了された前記記録媒体上の位置を記憶し、前記強制終了後に情報の読み取りおよび再生を再開する際には、前記記憶した前記強制終了された記記録媒体上の位置に記録されている情報を読み取り、再生回数を計数せずに再生するようにすることを特徴としている。
【図面の簡単な説明】
【０００８】
【図１】本発明の一実施例にかかる光ディスクプレーヤのブロック図である。
【図２】図１に示された光ディスクプレーヤの傷による強制終了と再開時の動作を示したフローチャートである。
【符号の説明】
【０００９】
１        光ディスクプレーヤ（記録媒体再生装置）
３        光ピックアップ（情報読取手段）
５        制御部（制御手段、情報再生手段）
５２      ＡＶデコード（情報再生手段）
５３      ＣＰＵ（制御手段）
８        ＲＡＭ（記憶手段）
Ｓ６      再生（情報再生手段）
Ｓ１１    ラストアドレス記憶（記憶手段）
【発明を実施するための最良の形態】
【００１０】
以下、本発明の一実施形態にかかる記録媒体再生装置を説明する。本発明の一実施形態にかかる記録媒体再生装置は、記録媒体からの再生回数が制限された情報の読み取りまたは再生が不能で強制的に終了したときに、強制終了時の記録媒体上の位置を記憶手段に記憶させ、再生を再開した際には記憶手段に記憶した強制終了された記記録媒体上の位置を読み取らせて、再生回数を計数せずに再生するように制御手段が制御している。このようにすることにより、再生が強制的に終了されたときは、再開のために新たな再生を行っても再生回数を計数しないことで、ユーザに不利益を与えることをなくすことができる。
【００１１】
また、記録媒体の再生中に傷が発見された場合には、所定時間先の位置に記憶されている情報を情報読み取り手段に読み取らせる処理を所定回数繰り返し、所定回数繰り返した場合は、情報の読み取りおよび再生を強制的に終了させ、強制的に終了させた後に情報の読み取りおよび再生を再開する際には、最後に傷が発見された位置から所定時間先の位置に記憶されている情報から再生してもよい。このようにすることにより、強制終了時の位置の先を再生するため最後に発見された傷よりも時間的に先の位置を再生できる。また、制御手段は、再生を再開しての再生が強制終了した記録媒体上の位置から所定時間先の位置を再生しようとして再生が出来なかったときは、そこからさらに所定時間先の位置を再生するようにしてもよい。このようにすることにより、再生を再開した際に再生が不能であっても何度かリトライすることができる。
【００１２】
また、本発明の一実施形態にかかる記録媒体再生方法は、記録媒体からの再生回数が制限された情報の読み取りまたは再生が不能で強制的に終了したときに、強制終了時の記録媒体上の位置を記憶し、再生を再開した際には記憶した強制終了された記記録媒体上の位置を読み取らせて位置を読み取って、再生回数を計数せずに再生するようにする。このようにすることにより、再生が強制的に終了されたときは、再開のために新たな再生を行っても再生回数を計数しないことで、ユーザに不利益を与えることをなくすことができる。
【実施例１】
【００１３】
本発明の第１の実施例にかかる記録媒体再生装置としての光ディスクプレーヤ１を図１ないし図２を参照して説明する。光ディスクプレーヤ１は、ＣＤ（Compact Disc）、ＤＶＤ（Digital Versatile Disk）等の光ディスクを再生可能な装置である。光ディスクプレーヤ１は図１に示すようにディスクモータ２と、光ピックアップ３と、ＲＦアンプ４と、制御部５と、ＲＡＭ８と、フラッシュメモリ９と、ドライバ１０と、を備えている。【００１４】
ディスクモータ２は、光ディスクプレーヤ１にセットされた光ディスク１１を回転させるためのモータであり、スピンドルモータなどで構成されている。【００１５】
情報読取手段としての光ピックアップ３は、光ディスク１１に照射する光を発生させる図示しないレーザダイオードや、光ディスク１１上にレーザダイオードからのレーザ光を照射するための対物レンズ、制御部５からの指示によりフォーカスやトラッキングを合わせるために対物レンズを駆動するアクチュエータおよび光ディスク１１から反射された反射光を受ける受光器等を備え、受光器の出力から光ディスク１１から取り出した記録されている情報としてのコンテンツデータなどを含むＲＦ信号や反射光の強度などから生成される各種制御信号を生成し出力する。【００１６】
ＲＦアンプ４は、光ピックアップ３から入力される信号を所定の値に増幅し、制御部５へ出力する。【００１７】
情報再生手段および制御手段としての制御部５は、信号処理部５１、ＡＶデコード５２、ＣＰＵ５３から構成されている。【００１８】
信号処理部５１は、ＲＦアンプ４から入力される制御信号を基に光ピックアップ３の対物レンズを駆動させてフォーカスおよびトラッキングの制御などを行い、光ディスク１１に記録された情報を正確に読めるようにすることなどを行う。さらに、ＲＦアンプ４から入力されたコンテンツデータや再生回数制限などの各種制御情報を含む信号をアナログ／デジタル変換してＡＶデコード５２およびＣＰＵ５３へ出力する。【００１９】
情報再生手段としてのＡＶデコード５２は、信号処理部５２でデジタル変換された信号をエラー訂正や復号などの処理を行ってデジタル／アナログ変換して音声出力６および映像出力７からそれぞれ出力する。【００２０】
制御手段としてのＣＰＵ５３は、図示しないＲＯＭに記憶させた制御プログラムにより信号処理部５１およびＡＶデコード５２の制御を行い、光ディスク１１に傷などがあった場合の処理や、再生回数制限のあるコンテンツデータの再生回数管理などを行う。【００２１】
記憶手段としてのＲＡＭ８は、再生が強制終了された際の光ディスク１１上の位置としてのアドレスの記憶および制御部５の信号処理部５１やＣＰＵ５３が各種処理を行う際のワークエリアとして使用するためのメモリである。フラッシュメモリ９は不揮発性のメモリであり、再生制限のある情報の再生制限回数などが記録される。【００２２】
ドライバ１０は、制御部５から入力された信号を増幅し、ディスクモータ２および光ピックアップ３へ出力する。【００２３】
光ディスク１１にはＤｉｖＸ方式で符号化された情報としてのコンテンツデータが記録されており、該コンテンツデータには予め再生回数が制限されたものがある。【００２４】
ここで、ＤｉｖＸにおける再生回数制限の方法を説明する。ＤｉｖＸにおいて再生回数が制限されているコンテンツデータはレンタルファイルと呼ばれ、レンタルファイルには映像などのコンテンツ自体の情報や、コンテンツの再生可能回数を示すヘッダ情報が含まれている。ＤＶＤ等の記録媒体に記録されたレンタルファイルを再生する際は、当該記録媒体に記録されている識別情報（例えばＴＯＣ等）と、再生回数を計数した情報とが関連付けてフラッシュメモリ９に記憶される。そして、次にレンタルファイルを再生するときには識別情報を照合することによって記録媒体を特定し、そのレンタルファイルのヘッダ情報と、フラッシュメモリ９に記憶されている再生回数を計数した情報とを比較して再生回数が再生可能回数に達したときには以降の再生が不可能となる。また、ヘッダ情報の再生可能回数を識別情報と共にフラッシュメモリ９に記憶させ、以降新たな再生を行う毎にＣＰＵ５３によって再生可能回数を減少させて再生可能回数が０になると以後の再生を不可能とすることもできる。【００２５】
次に、図１に示すような構成からなる光ディスクプレーヤ１において、大きな傷のあるＤｉｖＸ方式で符号化されたコンテンツデータが記録された光ディスクを再生する際の動作を図２に示すフローチャートを参照して説明する。図２に示したフローチャートは、ＣＰＵ５３のＲＯＭに記憶されている制御プログラムをＣＰＵ５３において実行することで実現される。【００２６】
まず、ステップＳ１において、図示しない操作パネルなどからユーザが再生指示をＣＰＵ５３に対してされているか否かを判断し、指示されている場合（ＹＥＳの場合）はステップＳ２へ進み、指示されていない場合（ＮＯの場合）は再度判断する。【００２７】
次に、ステップＳ２において、光ディスク１１の識別情報を読み取り、フラッシュメモリ９に記録されている識別情報と照合することで光ディスク１１の特定を行いステップＳ３に進む。光ディスク１１に合致する識別情報がフラッシュメモリ９に記憶されていないときは、初めて再生を行う光ディスクであると判断し、光ディスク１１の識別情報をフラッシュメモリ９に記憶させステップＳ３に進む。【００２８】
次に、ステップＳ３において、ステップＳ２の判断結果から、初回再生の場合（ＹＥＳの場合）はステップＳ４へ進み、初回再生で無い場合（ＮＯの場合）はステップＳ１３へ進む。【００２９】
次に、ステップＳ４において、光ディスク１１に記録されているコンテンツの再生回数を示すヘッダ情報を識別情報に関連付けてフラッシュメモリ９に記録してステップＳ５に進む。【００３０】
次に、ステップＳ５において、ステップＳ３でフラッシュメモリ９に記録したコンテンツの再生回数を示す情報から再生回数を１回減じてフラッシュメモリ９に記録しステップＳ６に進む。【００３１】
次に、ステップＳ６において光ディスク１１に記録されているコンテンツデータの再生を行いステップＳ７に進む。光ディスク１１から読み出されたコンテンツデータはＲＦアンプ４を経由して信号処理部５１に入力され、Ａ／Ｄ変換されたコンテンツデータをＡＶデコード５２においてＤｉｖＸの復号を行い、映像と音声の形式に復号されたコンテンツデータをＤ／Ａ変換して音声出力端子６および映像出力端子７から出力する。また、信号処理部５１においてＡ／Ｄ変換されたコンテンツデータから光ディスク１１の位置としてのアドレスを示す情報をＲＡＭ８に出力する。なお、ＲＡＭ８に出力するアドレスは一旦ＣＰＵ５３に出力して時間情報（例えば、トラック３の１分３秒やチャプター４の４分２秒など）に変換してからＲＡＭ８に出力してもよい。【００３２】
次に、ステップＳ７において、図示しない操作パネルなどからユーザが再生の停止指示をＣＰＵ５３に対してされているか、または光ディスク１１の最後まで再生が終了したか否かを判断し、指示または最後まで再生終了の場合（ＹＥＳの場合）はステップＳ１５へ進み、指示または最後まで再生終了でない場合（ＮＯの場合）はステップＳ８へ進む。【００３３】
次に、ステップＳ８において、光ディスクに傷を発見したか否かを判断し、発見された場合はステップＳ９に進み、発見されない場合はステップＳ６に戻る。傷の発見方法は、例えば光ディスク１１に照射した光の反射光の強度（ＲＦ信号など）が所定値よりも低いか否かなどの方法により判断する。【００３４】
次に、ステップＳ９において、現在の再生位置よりも所定時間先である予め定めた所定アドレス数先のアドレスを再生するように信号処理部５１に指示しステップＳ１０に進む。予め定めた所定アドレス数は、現在の再生位置よりも時間的に先に再生されるコンテンツデータが格納されているアドレスまでのアドレスの変化分である。これはアドレスに限らず、時間（例えば１秒先など）で指定してもよい。所定アドレス数は、微細な傷は飛び越せるが、視聴しているユーザがあまり違和感を感じない程度のアドレス数（時間）が好ましい。【００３５】
次に、ステップＳ１０において、ステップＳ９の動作を予め定めた所定回数行ったか否かを判断し、行っている場合はステップＳ１１に進み、行っていない場合はステップＳ６に戻る。ステップＳ９を繰り返す所定回数は多ければ多いほど傷から抜け出せる可能性が高まるが、ステップＳ８〜Ｓ１０を行っている間は音声や映像などのコンテンツの内容をユーザが視聴できないので、ユーザが不満に感じない程度の回数に設定することが望ましい。【００３６】
次に、ステップＳ１１において、現在光ディスク１１から読み出していたアドレスをラストアドレスとしてＲＡＭ８に記憶してステップＳ１２に進む。なお、ＲＡＭ８にはアドレスでなく時間（例えば、トラック３の１分３秒やチャプター４の４分２秒など）で記憶してもよい。  すなわち、本ステップにおいてＲＡＭ８に記憶したラストアドレスが、特許請求の範囲の読み取りが強制終了された前記記録媒体上の位置を示している。【００３７】
次に、ステップＳ１２において、再生の続行が不可能と判断して、再生動作を強制的に終了する。ユーザに対しては強制終了したことを図示しない表示装置などにより表示して通知する。すなわち、強制終了とはユーザによる操作や光ディスクを最後まで再生したなどによる終了ではなく、光ディスクプレーヤ１または光ディスク１１側の問題により再生の継続が不可能となり制御部５の判断により終了したことをいう。【００３８】
ステップＳ１３においては、ＲＡＭ８にラストアドレスが記憶されているかを判断し、ラストアドレスが記憶されている場合（ＹＥＳの場合）は、強制終了等によって前回の再生が終了しているので、そこから再生を再開すべくステップＳ１４へ進む。一方、ラストアドレスが記憶されていない場合（ＮＯの場合）は、新たにコンテンツデータを最初から再生すべくステップＳ５へ進み、その際は最初から再生するのでフラッシュメモリ９に記録したコンテンツの再生回数を示す情報から再生回数を１回減少する。【００３９】
次に、ステップＳ１４においては、ステップＳ１１でＲＡＭ８に記憶したラストアドレスを読み出し、ピックアップなどを該アドレスの位置に移動させるように信号処理部５１に対して指示しステップＳ６へ進む。このようにすることで、強制終了等により前回の再生が終了した位置から再生が再開される。この際、ステップＳ５を経ずにステップＳ６へ進むことで再生回数を減少させずに再生を行うので、当該再生においては再生回数を計数しない。【００４０】
ステップＳ１５においては、ステップＳ７においてユーザから停止指示または光ディスク１１を最後まで再生したために、正常終了として図示しない表示装置などにより表示して通知する。【００４１】
強制終了から再開した場合はステップＳ１３、Ｓ１４、Ｓ６、Ｓ７、Ｓ８と進み、傷を発見しても、強制終了地点からまた所定回数アドレスを飛ばすことができるので、傷の部分を抜け出す可能性が高まる。【００４２】
本実施例によれば、再生回数が制限された情報が記録されたＣＤ，ＤＶＤ等の光ディスクを再生する光ディスクプレーヤ１において、傷のある光ディスク１１を再生する場合に、傷のために再生が強制終了した際には、強制終了が発生した光ディスク１１上のアドレスをＲＡＭ８に記憶させ、再生を再開する際には、ＲＡＭ８に記憶した強制終了が発生したアドレスを読み出して、そのアドレスを、再生回数を計数せずに再生するようにしている。よって、装置の問題によって再生回数が無駄に減少することを防ぎ、ユーザに不利益を与えることをなくすことができる。そして、所定時間先のアドレスでも再生できなかった場合はさらに所定時間先のアドレスを再生というように所定回繰り返すことで、強制終了してしまうような大きな傷でも先頭から再生を再開せずに済み、さらに傷の先の位置をスキップなどを使用せずに再生することが可能となる。
【００４３】
なお、上述した実施例においては、光ディスクに傷があった場合の動作を示したが、傷に限らず、光ディスクの変形や埃などによる強制終了でもよく、さらに再生装置の内部温度が規格よりも高温または低温になった場合や、振動が激しい場合などや、再生装置側の問題により読み出した情報が正常にデコード出来ない場合など、再生不可と判断され強制的に終了された場合に適用できる。また、再生装置側の問題の場合は強制終了したアドレスから所定アドレス先ではなく強制終了したアドレスから再生を行ってもよい。【００４４】
また、上述した実施例においてはＤｉｖＸ方式で符号化されたコンテンツが記録されている光ディスクを用いたが、符号化方式はＤｉｖＸに限らず、ＭＰＥＧ（Moving Picture Expert Group）などの方式を用いてもよく、再生回数制限や別の再生装置での再生制限の方法も実施例以外の方法を用いてもよい。即ち、本発明を適用すれば、強制終了後の再開が新規再生としてカウントされないため再生回数制限に影響しないことから符号化方式や再生回数制限方式を限定しない。【００４５】
また、上述した実施例では記録媒体として光ディスクを用いたが、それに限らずハードディスクや半導体メモリなど他の記録媒体を用いた再生装置にも適用可能である。【００４６】
前述した実施例によれば、以下の記録媒体再生装置および再生方法が得られる。【００４７】
（付記１）光ディスク１１から再生回数が制限されたコンテンツデータを読み取る光ピックアップ３と、光ピックアップ３が読み取った情報を再生する制御部５と、コンテンツデータの再生回数を計数して光ピックアップと制御部５との前記コンテンツデータの読み取りまたは再生を制御し、コンテンツデータの読み取りまたは再生が不能であると前記読み取り再生を強制的に終了させる制御部５と、を備えた光ディスクプレーヤ１において、制御部５がコンテンツデータの読み取りおよび再生を強制的に終了させたときに、読み取りが強制終了された光ディスク１１上のアドレスを記憶するＲＡＭ８をさらに備え、前記強制終了後にコンテンツデータの読み取りおよび再生を再開する際には、制御部５がＲＡＭ８に記憶された強制終了された光ディスク１１上のアドレスに記録されているコンテンツデータを光ピックアップ３に読み取らせ、再生回数を計数せずに制御部５に再生させるように制御することを特徴とする光ディスクプレーヤ１。
【００４８】
この光ディスクプレーヤ１によれば、再生が強制的に終了されたときは、再開のために新たな再生を行っても再生回数を計数しないことで、ユーザに不利益を与えることをなくすことができる。
【００４９】
（付記２）光ディスク１１から再生回数が制限されたコンテンツデータを読み取り、読み取ったコンテンツデータの再生回数を計数して再生する光ディスク再生方法において、コンテンツデータの読み取り中または再生中にコンテンツデータの読み取りまたは再生が不能でコンテンツデータの読み取りおよび再生を強制的に終了したときに、読み取りが強制終了された光ディスク上のアドレスを記憶し、強制終了後にコンテンツデータの読み取りおよび再生を再開する際には、記憶した強制終了された光ディスク１１上のアドレスに記録されているコンテンツデータを読み取り、再生回数を計数せずに再生するようにすることを特徴とする光ディスク再生方法。
【００５０】
この光ディスク再生方法によれば、再生が強制的に終了されたときは、再開のために新たな再生を行っても再生回数を計数しないことで、ユーザに不利益を与えることをなくすことができる。
【００５１】
なお、前述した実施例は本発明の代表的な形態を示したに過ぎず、本発明は、実施例に限定されるものではない。すなわち、本発明の骨子を逸脱しない範囲で種々変形して実施することができる。
【図１】
0004533954.tif 000002
【図２】
0004533954.tif 000003